(57)【要約】      （修正有）【課題】集塵筒に収集されたゴミを捨てるため、サイクロンユニットから容易く集塵筒を分離でき、サイクロン集塵装置の移動時に集塵筒とサイクロンユニットとの結束力が堅固になる改善された集塵筒固定／分離装置及びそれを備えるサイクロン集塵装置の提供。【解決手段】ロック／アンロック部２２０は集塵筒１２０の運搬用取っ手１３０上部に設けられ、ロック突起２２２が設けられたボタン２２１と弾性部材２２３を含む。ロック突起２２２は固定／分離取っ手２１０が第１位置にあるとき、固定／分離取っ手２１０に形成されたロック溝２１２と締結される。弾性部材２２３は一端がボタン２２１と連結され、他端が運搬用取っ手１３０内部と連結され、ボタン２２１を矢印Ａ’方向に付勢させる。ボタン２２１下部を矢印Ａ方向に加圧すればボタン２２１は回転軸２２１ａを中心にして回転し、ロック突起２２２とロック溝２１２との締結が解除される。【選択図】図４
2006334392.tif 000002
【特許請求の範囲】
【請求項１】
サイクロンユニットと集塵筒を固定／分離させるための装置であって、
前記サイクロンユニットと前記集塵筒が固定される第１位置、及び前記サイクロンユニットと前記集塵筒が分離される第２位置間で回動する固定／分離取っ手と、
前記固定／分離取っ手が前記第１位置にあるとき、前記固定／分離取っ手を固定及び固定解除させるロック／アンロック部と、
前記固定／分離取っ手が回動自在に結合され、前記固定／分離取っ手が前記第２位置にあるとき、前記サイクロンユニットが前記集塵筒から分離可能にする固定部と、を含むことを特徴とする集塵筒固定／分離装置。
【請求項２】
前記固定／分離取っ手は、
前記ロック／アンロック部のロック突起と結合するロック溝を備えるハンドル部と、
前記ハンドル部の両端に設けられ、前記固定部のヒンジ軸に結合されるヒンジ結合部と、を含むことを特徴とする請求項１に記載の集塵筒固定／分離装置。
【請求項３】
前記ロック／アンロック部は、
前記ロック突起が設けられるボタンと、
一端が前記ボタンと連結され、前記ボタンを一方向に付勢させる弾性部材と、を含むことを特徴とする請求項２に記載の集塵筒固定／分離装置。
【請求項４】
前記ロック／アンロック部は、
前記集塵筒に設けられる運搬用取っ手に設けられることを特徴とする請求項３に記載の集塵筒固定／分離装置。
【請求項５】
前記固定部は、前記ヒンジ軸近くに設けられる第１突起を含み、
前記ヒンジ結合部は、内周面が前記第１突起と接触して回動し、所定部分に分離開口が形成される外郭フレームと、前記外郭フレームの中央部に形成され前記ヒンジ軸に結合されるヒンジ結合溝と、を含み、
前記外郭フレームの分離開口は、前記固定／分離取っ手が前記第２位置に移動時に前記第１突起と対応する位置に形成されることを特徴とする請求項２に記載の集塵筒固定／分離装置。
【請求項６】
前記ヒンジ軸は、前記サイクロンユニットに設けられ、前記第１突起は前記集塵筒に設けられることを特徴とする請求項５に記載の集塵筒固定／分離装置。
【請求項７】
前記固定部は、前記外郭フレーム内部に位置するよう前記集塵筒に設けられる第２突起をさらに含み、
前記ヒンジ結合部は、前記外郭フレームの内部に設けられる固定リブをさらに含み、
前記固定リブは、前記固定／分離取っ手が前記第２位置に移動時に前記第２突起と接触して、前記固定／分離取っ手を前記第１位置から前記第２位置の方向にさらに回動させないことを特徴とする請求項６に記載の集塵筒固定／分離装置。
【請求項８】
前記第１位置及び第２位置がなしている角度はほとんど垂直であることを特徴とする請求項１〜７のいずれか一項に記載の集塵筒固定／分離装置。
【請求項９】
運搬用取っ手が設けられ上端の開放された集塵筒と、前記集塵筒に着脱自在に結合され吸入された空気からゴミを遠心分離するサイクロンユニットを含むサイクロン集塵装置であって、
前記サイクロンユニットと前記集塵筒が固定される第１位置、及び前記サイクロンユニットと前記集塵筒が分離される第２位置間で回動する固定／分離取っ手と、
前記運搬用取っ手に設けられ、前記固定／分離取っ手が前記第１位置にあるとき、前記固定／分離取っ手を固定及び固定解除させるロック／アンロック部と、
前記固定／分離取っ手が回動自在に結合され、前記固定／分離取っ手が第２位置にあるとき、前記サイクロンユニットが前記集塵筒から分離可能にする固定部と、を含むことを特徴とするサイクロン集塵装置。
【請求項１０】
前記固定／分離取っ手は、前記ロック／アンロック部のロック突起と結合するロック溝を備えるハンドル部と、前記ハンドル部の両端に設けられ、前記ハンドル部が回動自在に前記固定部に結合されるヒンジ結合部と、を含むことを特徴とする請求項９に記載のサイクロン集塵装置。
【請求項１１】
前記ロック／アンロック部は、
前記ロック突起が設けられるボタンと、
一端が前記ボタンと連結され他端が前記運搬用取っ手と連結され、前記ボタンを一方向に付勢させる弾性部材と、を含むことを特徴とする請求項１０に記載のサイクロン集塵装置。
【請求項１２】
前記固定部は、前記サイクロンユニットに設けられるヒンジ軸及び前記集塵筒に設けられる第１突起を含み、
前記ヒンジ結合部は、内周面が前記第１突起と接触して回動し、所定部分に分離開口が形成される外郭フレームと、前記外郭フレームの中央部に形成され前記ヒンジ軸に結合されるヒンジ結合溝と、を含み、
前記外郭フレームの分離開口は、前記固定／分離取っ手が前記第２位置に移動時に前記第１突起と対応する位置に形成されることを特徴とする請求項１１に記載のサイクロン集塵装置。
【請求項１３】
前記固定部は、前記外郭フレームの内部に位置するよう前記集塵筒に設けられる第２突起をさらに含み、
前記ヒンジ結合部は、前記外郭フレームの内部に設けられる固定リブをさらに含み、
前記固定リブは、前記固定／分離取っ手が前記第２位置に移動時に前記第２突起と接触して、前記固定／分離取っ手を前記第１位置から前記第２位置の方向にさらに回動させないことを特徴とする請求項１２に記載のサイクロン集塵装置。
【発明の詳細な説明】
【技術分野】
【０００１】
本発明は、真空掃除機に係り、特に、真空掃除機に適用され吸入された空気からゴミを遠心分離するサイクロンユニットと集塵筒を固定／分離する集塵筒固定／分離装置及びそれを備えるサイクロン集塵装置に関する。
【背景技術】
【０００２】
一般に、サイクロン集塵装置は、真空掃除機に適用され吸入された空気からゴミを分離／収集する装置であり、遠心力により空気からゴミを分離するサイクロンユニットと、分離されたゴミを収集する集塵筒とを含む。
【０００３】
図１はサイクロン集塵装置が適用された一般のアップライト型の真空掃除機を示す図である。真空掃除機１０は、モータ駆動室２１と集塵室２２を備える真空掃除機本体２０、被掃除面のゴミを空気と共に吸入する吸入ブラシ３０、及びサイクロン集塵装置４０を含む。サイクロン集塵装置４０は、サイクロンユニット５０と集塵筒６０を備え、サイクロンユニット５０と集塵筒６０とが結合された状態で真空掃除機本体２０の集塵室２２に着脱自在に設けられる。集塵筒６０には真空掃除機本体２０からサイクロン集塵装置４０を着脱し易く取っ手６１が備えられる。
【０００４】
サイクロン集塵装置４０は図示したように、サイクロンユニット５０の空気流入管５１及び排気管５２はそれぞれ真空掃除機本体２０の空気流入路２３及び排気路２４と連結されるよう掃除機本体２０に取付けられる。掃除が行われると、モータ駆動室２１のモータ（図示せず）が駆動するに伴って吸入ブラシ３０に吸引力が発生する。該吸引力により被掃除面のホコリ及びゴミを含む空気が吸入ブラシ３０、空気流入路２３及び空気流入管５１を介してサイクロンユニット５０の内部に流入される。このとき、流入された空気は空気流入管５１によりサイクロンユニット５０の内周に沿って斜線方向に誘導され旋回気流をなす。これにより、空気中に含まれたホコリ及びゴミは遠心分離され集塵筒６０に収集される。また、浄化された空気はグリル７０の流路、排気管５２、排気路２４、及びモータ駆動室２１を介して外部へ排出される。
【０００５】
一方、掃除が終了した後、集塵筒６０にゴミが一定水準以上溜まるとき、ユーザは取っ手６１を掴んで真空掃除機本体２０からサイクロン集塵装置４０を分離した後、集塵筒６０のゴミを捨てる。ところで、集塵筒６０に収集されたゴミを捨てるためにはサイクロンユニット５０から集塵筒６０を分離しなければならないが、このとき次のような問題点がある。
【０００６】
真空掃除機本体２０からサイクロン集塵装置４０を分離する動作中あるいは、集塵筒６０に溜まっているゴミを捨てるためサイクロン集塵装置４０をゴミ箱に運ぶ中に、集塵筒６０とサイクロンユニット５０との結合が堅固でない場合、集塵筒６０とサイクロンユニット５０が分離される恐れがある。この場合、集塵筒６０に収集されたゴミが散らばって周辺を汚す。
【０００７】
したがって、かかる問題点を解決するため集塵筒６０とサイクロンユニット５０との結束力を高める方法として、集塵筒６０とサイクロンユニット５０とを螺合することが紹介された。しかし、この場合、集塵筒６０をサイクロンユニット５０から分離するため、ユーザが手や体で集塵筒６０またはサイクロンユニット５０中の１つを固定させ、もう１つを回転させて分離すべき手間がかかった。特に、集塵筒６０またはサイクロンユニット５０は片手で掴み難いため、その不便さはなおさらである。
【発明の開示】
【発明が解決しようとする課題】
【０００８】
本発明は、前記のような問題点を鑑みてなされたものであって、その目的は、第一、集塵筒に収集されたゴミを捨てるためサイクロンユニットから集塵筒を容易く分離でき、第二、サイクロン集塵装置の移動時に集塵筒とサイクロンユニットとの結束力が堅固になる改善された集塵筒固定／分離装置及びそれを備えるサイクロン集塵装置を提供することにある。
【課題を解決するための手段】
【０００９】
前記目的を達成するための本発明に係る集塵筒固定／分離装置は、サイクロンユニットと集塵筒とを固定及び分離させる装置であって、固定／分離取っ手、ロック／アンロック部、及び固定部を含む。固定／分離取っ手は、サイクロンユニットと集塵筒が固定される第１位置、及びサイクロンユニットと集塵筒が分離される第２位置間で回動する。ロック／アンロック部は前記固定／分離取っ手が前記第１位置にあるとき、前記固定／分離取っ手を固定及び固定解除させる。固定部は、前記固定／分離取っ手が回動自在に結合され、前記固定／分離取っ手が前記第２位置にあるとき、前記サイクロンユニットを前記集塵筒から分離可能にする。
【００１０】
前記固定／分離取っ手は、前記ロック／アンロック部のロック突起と結合するロック溝を備えるハンドル部と、前記ハンドル部の両端に設けられ、前記固定部のヒンジ軸に結合するヒンジ結合部とを含むことが良い。
【００１１】
前記ロック／アンロック部は、前記ロック突起が設けられるボタンと、一端が前記ボタンと連結され前記ボタンを一方向に付勢させる弾性部材とを含むことが良い。
【００１２】
また、前記ロック／アンロック部は前記集塵筒に設けられる運搬用取っ手に設けられることが良い。
【００１３】
前記固定部は、前記ヒンジ軸近くに設けられる第１突起を含み、前記ヒンジ結合部は、内周面が前記第１突起と接触して回動し、所定部分に分離開口が形成される外郭フレームと、前記外郭フレームの中央部に形成され前記ヒンジ軸に結合されるヒンジ結合部とを含む。また、前記外郭フレームの分離開口は、前記固定／分離取っ手が前記第２位置に移動時に前記第１突起と対応する位置に形成される。
【００１４】
前記ヒンジ軸は前記サイクロンユニットに設けられ、前記第１突起は前記集塵筒に設けられることが良い。
【００１５】
前記固定部は、前記外郭フレームの内部に位置するよう前記集塵筒に設けられる第２突起をさらに含み、前記ヒンジ結合部は、前記外郭フレームの内部に設けられる固定リブをさらに含む。前記固定リブは、前記固定／分離取っ手が前記第２位置に移動時に前記第２突起と接触して、前記固定／分離取っ手を前記第１位置から前記第２位置の方向にさらに回動させない。
【００１６】
また、前記第１位置及び第２位置がなしている角度はほとんど垂直であることが好ましい。
【００１７】
一方、本発明の目的は、運搬用取っ手が設けられ上端の開放された集塵筒と、前記集塵筒に着脱自在に結合され吸入された空気からゴミを遠心分離するサイクロンユニットとを含むサイクロン集塵装置であって、前記サイクロンユニットと前記集塵筒が固定される第１位置、及び前記サイクロンユニットと前記集塵筒が分離される第２位置間で回動する固定／分離取っ手と、前記運搬用取っ手に設けられ、前記固定／分離取っ手が前記第１位置にあるとき、前記固定／分離取っ手を固定及び固定解除させるロック／アンロック部と、前記固定／分離取っ手が回動自在に結合され、前記固定／分離取っ手が第２位置にあるとき、前記サイクロンユニットが前記集塵筒から分離可能にする固定部とを含むサイクロン集塵装置によっても達成される。
【発明の効果】
【００１８】
本発明によると、ユーザは簡単な操作でサイクロンユニットと集塵筒を分離できるため、ユーザのゴミ収集の便利性を向上させる効果がある。また、集塵筒をサイクロンユニットから分離させる以外には、サイクロンユニットと集塵筒は堅固に固定、結合されるため、サイクロン集塵装置の移動中または、動作中にサイクロンユニットから集塵筒が分離されることを防止できる。
【発明を実施するための最良の形態】
【００１９】
以下、添付した図面に基づいて本発明の好適な実施形態による集塵筒固定／分離装置及びそれを備えるサイクロン集塵装置を詳説する。
（実施形態）
図２Ａ及び図２Ｂに示すように、サイクロン集塵装置１００は吸入された空気からゴミを遠心分離するサイクロンユニット１１０、サイクロンユニット１１０から分離されたゴミが収集される集塵筒１２０及び集塵筒固定／分離装置２００を含む。サイクロンユニット１１０は一部が集塵筒１２０内部に挿入されるよう集塵筒１２０と着脱自在に結合される。サイクロンユニット１１０には集塵筒１２０の開口１２１と連結される空気流入口（図示せず）及び空気流出口１１１が形成される。前記空気流入口を介して外部から流入された空気中に含まれたゴミはサイクロンユニット１１０で空気から遠心分離され、分離されたゴミは集塵筒１２０に収集され、浄化された空気は空気流出口１１１を介してサイクロン集塵装置１００の外部へ抜け出す。集塵筒１２０にはサイクロン集塵装置１００を真空掃除機本体２０（図１参照）に装着及び分離し易く運搬用取っ手１３０が設けられる。サイクロン集塵装置１００の詳しい動作原理及び構成は本発明の要旨でないため、その詳細な説明は省く。
【００２０】
集塵筒固定／分離装置２００は、平常時、サイクロンユニット１１０と集塵筒１２０との結合を固定させるが、集塵筒１２０に収集されたゴミを捨てる場合はサイクロンユニット１１０と集塵筒１２０を分離させる。集塵筒固定／分離装置２００は固定／分離取っ手２１０、ロック／アンロック部２２０、及び固定部２３０（図５参照）を含む。
【００２１】
図３に示すように、固定／分離取っ手２１０は、ユーザが把持可能に形成されたハンドル部２１１と、ハンドル部２１１の両端に連結されたヒンジ結合部２１３とを含む。固定／分離取っ手２１０は、サイクロンユニット１１０と集塵筒１２０とが結合時サイクロンユニット１１０を集塵筒１２０に固定させる位置（以下、第１位置（図２Ａ参照）と称する。）と、サイクロンユニット１１０を集塵筒１２０から分離させる位置（以下、第２位置（図２Ｂ参照）と称する。）との間で回動自在に設けられる。固定／分離取っ手２１０が前記第１位置にあるとき、ロック／アンロック部２２０によってロックされ、サイクロンユニット１１０を集塵筒１２０に堅固に固定させる。固定／分離取っ手２１０が前記第２位置にあるとき、サイクロンユニット１１０は集塵筒１２０と分離可能になる。前記第１位置と前記第２位置とがなしている角度は実質的に垂直であることが良い。
【００２２】
ハンドル部２１１の中央部には固定／分離取っ手２１０が第１位置にあるとき、ロック／アンロック部２２０のロック突起２２２（図４参照）と結合するロック溝２１２が形成される。ヒンジ結合部２１３は、一面が開放された円筒形の外郭フレーム２１４、外郭フレーム２１４の中央部に形成されたヒンジ結合溝２１５、及びヒンジ結合溝２１５の周りに放射状で配置される固定リブ２１６を含む。
【００２３】
外郭フレーム２１４は、ヒンジ結合溝２１５及び固定リブ２１６が設けられる底面部２１４ｂ、底面部２１４ｂの周縁から所定の高さで突設され、外側面がハンドル部２１１と連結される側面部２１４ａを備える。側面部２１４ａの所定領域には分離開口２１４ｃが形成される。固定／分離取っ手２１０が第２位置にあるとき、分離開口２１４ｃは固定部２３０の第１突起２３２と対応するよう位置する（図８参照）。ヒンジ結合溝２１５は固定部２３０のヒンジ軸２３１（図５参照）と結合される。したがって、固定／分離取っ手２１０はヒンジ軸２３１を中心にして回動自在になる。固定リブ２１６は第１リブ２１６ａと第２リブ２１６ｂを備える。固定／分離取っ手２１０が第１位置から第２位置に移動する際、所定地点から第２リブ２１６ｂは固定部２３０の第２突起２３３の外周面と接触しながら移動する（図７参照）。固定／分離取っ手２１０が第２位置まで移動すれば、第１リブ２１６ａは第２突起２３３に引っ掛かって固定／分離取っ手２１０は矢印Ｂ方向にさらに回動できなくなる（図８参照）。
【００２４】
図４に示すように、ロック／アンロック部２２０は集塵筒１２０の運搬用取っ手１３０上部に設けられ、ロック突起２２２が設けられたボタン２２１と弾性部材２２３を含む。ロック突起２２２は固定／分離取っ手２１０が第１位置にあるとき、固定／分離取っ手２１０に形成されたロック溝２１２と締結される。弾性部材２２３は一端がボタン２２１と連結され、他端が運搬用取っ手１３０内部と連結され、ボタン２２１を矢印Ａ’方向に付勢させる。ボタン２２１下部を矢印Ａ方向に加圧すればボタン２２１は回転軸２２１ａを中心にして回転し、ロック突起２２２とロック溝２１２との締結が解除される。
【００２５】
一方、本実施形態において、ロック／アンロック部２２０は運搬用取っ手１３０に設けられることに例示されたが、本発明はこれに限定されない。例えば、集塵筒１２０に直接設けられることも可能である。しかし、本実施形態のように、ロック／アンロック部２２０を運搬用取っ手１３０の上部に設けることで、ユーザが片手で運搬用取っ手１３０を掴んだまま親指でボタン２２１を押すことができるため、簡単に操作できる。
【００２６】
図５に示すように、固定部２３０はヒンジ軸２３１、第１突起２３２、及び第２突起２３３を含む。本実施形態によれば、ヒンジ軸２３１と第２突起２３３はサイクロンユニット１１０に、第１突起２３２は集塵筒１２０に設けられることが好ましい。
【００２７】
図６は固定／分離取っ手２１０が第１位置にあるとき、固定／分離取っ手２１０のヒンジ結合部２１３と固定部２３０とが結合された状態を示す図である。また、同図において、説明の便宜のため外郭フレーム２１４の底面部２１４ｂ（図３参照）を省略する。前述したように、ヒンジ軸２３１にはヒンジ結合溝２１５（図３参照）が挿入され、固定／分離取っ手２１０はヒンジ軸２３１を中心にして回動自在になる。
【００２８】
外郭フレーム２１４の側面部２１４ａ内周面は固定部２３０の第１突起２３２と接触する。ヒンジ結合部２１３が回転軸２３１を中心にして矢印Ｃ方向に回転時、外郭フレーム２１４の側面部２１４ａは第１突起２３２の外周面と接触しながら回転する。図示したように、集塵筒１２０に設けられた第１突起２３２は外郭フレーム２１４によって拘束されるので、集塵筒１２０はサイクロンユニット１１０と分離されず結合された状態を維持する。
【００２９】
一方、前述したように、固定／分離取っ手２１０が第２位置に移動時にヒンジ結合部２１３も矢印Ｃ方向にさらに回転し、このとき、外郭フレーム２１４の分離開口２１４ｃは固定部２３０の第１突起２３２と対応するよう位置する（図８参照）。したがって、外郭フレーム２１４は第１突起２３２に拘束されず矢印Ｄ方向に自由に出入りが可能となるので、ハンドル部２１１を持ち上げると、サイクロンユニット１１０と集塵筒１２０は分離される。また、固定／分離取っ手２１０が第２位置に移動時にヒンジ結合部２１３の回転により、固定リブ２１６の第１リブ２１６ａは固定部２３０の第２突起２３３と接触する。したがって、固定／分離取っ手２１０は矢印Ｂ方向にさらに回動されない（図８参照）。
【００３０】
以下、図７及び図８に基づいて、本発明の実施形態による集塵筒固定／分離装置及びそれを備えるサイクロン集塵装置の動作について詳説する。
【００３１】
掃除が終了した後、集塵筒１２０にゴミが一定量以上溜まってゴミを捨てる場合、ユーザは集塵筒１２０の運搬用取っ手１３０を掴んで真空掃除機本体２０（図１参照）からサイクロン集塵装置１００を分離する。このとき、固定／分離取っ手２１０はロック／アンロック部２２０により固定された状態で第１位置にあれば、サイクロンユニット１１０と集塵筒１２０とは堅固に結合された状態である（図２Ａ参照）。
【００３２】
図７に示すように、固定／分離取っ手２１０が第１位置の状態でボタン２２１を矢印Ａ方向に押すと、ボタン２２１は回転軸２２１ａを中心にして回転し、ロック突起２２２とロック溝２１２との締結は解除される。ユーザはロックが解除された固定／分離取っ手２１０のハンドル部２１１を片手で掴んで矢印Ｂ方向に移動させる。ハンドル部２１１の回転によりヒンジ結合部２１３もヒンジ軸２３１を中心にして矢印Ｃ方向に回転する。一方、外郭フレーム２１４は固定部２３０の第１突起２３２と接触した状態を維持するため、サイクロンユニット１１０と集塵筒１２０は分離されず結合状態を維持し続ける。
【００３３】
図８に示すように、固定／分離取っ手２１０がさらに矢印Ｂ方向に移動し第２位置に到達すれば、固定リブ２１６の第１リブ２１６ａは固定部２３０の第２突起２３３に引っ掛かって、ハンドル部２１１は矢印Ｂ方向にさらに回転されず停止する。
【００３４】
一方、外郭フレーム２１４に形成された分離開口２１４ｃは固定部２３０の第１突起２３２と対応するよう位置する。したがって、ハンドル部２１１を矢印Ｄ方向に持ち上げると、外郭フレーム２１４は分離開口２１４ｃを介して第１突起から抜け出る。結局、サイクロンユニット１１０と集塵筒１２０は分離される（図２Ｂ参照）。ユーザは前記のように、サイクロンユニット１１０と集塵筒１２０を分離した後、集塵筒１２０に収集されたゴミを捨てれば良い。
【００３５】
このように、ユーザは集塵筒１２０に形成された運搬用取っ手１３０を掴んだままボタン２２１を押して、サイクロンユニット１１０と集塵筒１２０との固定を解除させ、固定／分離取っ手２１０のハンドル部２１１を一定の位置まで移動させた後、持ち上げることでサイクロンユニット１１０と集塵筒１２０を分離できる。したがって、本発明によれば、簡単な操作でサイクロンユニット１１０と集塵筒１２０を分離できるため、ユーザのゴミ収集の便利性を向上させる。また、集塵筒１２０に収集されたゴミを捨てるためサイクロンユニット１１０から集塵筒１２０を分離させる以外には、サイクロンユニット１１０と集塵筒１２０とは堅固に固定、結合される。これにより、サイクロン集塵装置１００の移動中または、動作中に集塵筒１２０がサイクロンユニット１１０から分離され集塵筒１２０に収集されたゴミがこぼれて周辺環境を汚すことを防止できる。
【００３６】
以上、本発明の原理を例示するために本発明の好適な実施形態について図示し説明したが、本発明は上述した特定の実施形態に限定されるものではなく、特許請求の範囲で請求している本発明の要旨を逸脱することなく、本発明に対する種々の変更及び修正が可能であることは当業者であれば理解できることであろう。よって、そのような変更及び修正は本発明の特許請求の範囲に含まれるものと見なすべきである。
【産業上の利用可能性】
【００３７】
本発明は、真空掃除機に適用可能である。また、本発明は、真空掃除機に適用され吸入された空気からゴミを遠心分離するサイクロンユニットと集塵筒とを固定及び分離する集塵筒固定／分離装置及びそれを備えるサイクロン集塵装置に適用可能である。
【図面の簡単な説明】
【００３８】
【図１】一般のサイクロン集塵装置が適用された真空掃除機の概略斜視図である。
【図２Ａ】本発明の実施形態による集塵筒固定／分離装置が適用されたサイクロン集塵装置の斜視図である。
【図２Ｂ】図２Ａのサイクロンユニットと集塵筒が分離された状態の斜視図である。
【図３】図２Ａの集塵筒固定／分離装置の固定／分離取っ手の斜視図である。
【図４】図２Ａの集塵筒固定／分離装置のロック／アンロック部の断面図である。
【図５】図２Ａの集塵筒固定／分離装置の固定部の斜視図である。
【図６】図２Ａの固定／分離取っ手と固定部とが結合された状態の内部斜視図である。
【図７】本発明の実施形態による集塵筒固定／分離装置の動作を説明する図である。
【図８】本発明の実施形態による集塵筒固定／分離装置の動作を説明する図である。
【符号の説明】
【００３９】
１００  サイクロン集塵装置
１１０  サイクロンユニット
１２０  集塵筒
１３０  運搬用取っ手
２００  集塵筒固定／分離装置
２１０  固定／分離取っ手
２１１  ハンドル部
２１３  ヒンジ結合部
２１４  外郭フレーム
２１６  固定リブ
２２０  ロック／アンロック部
２２１  ボタン
２３０  固定部
２３１  ヒンジ軸
【図１】
2006334392.tif 000003
【図２Ａ】
2006334392.tif 000004
【図２Ｂ】
2006334392.tif 000005
【図３】
2006334392.tif 000006
【図４】
2006334392.tif 000007
【図５】
2006334392.tif 000008
【図６】
2006334392.tif 000009
【図７】
2006334392.tif 000010
【図８】
2006334392.tif 000011